(57)【要約】      （修正有）【課題】フレキシブルフラットケーブルを基板に強固に固定することができ、外れにくくて位置擦れが生じることがなく、電波ノイズの影響を受けにくくすることができるフレキシブルフラットケーブルの取付構造を提供する。【解決手段】基板１に対してフレキシブルフラットケーブル２の端部２ａを接続し、フレキシブルフラットケーブル２の端部近傍箇所を基板１に取付固定するようにしたフレキシブルフラットケーブルの取付構造において、フレキシブルフラットケーブル２における端部近傍箇所に、横向きに空洞ポケット３が設けられる合成樹脂体４が接着され、この合成樹脂体４の空洞ポケット３にジャンパー線５が挿入されて、このジャンパー線５の両端５ａ、５ｂが基板１に半田付け６で固定されて、フレキシブルフラットケーブル２を基板１に取付固定した。【選択図】図１
2005317702.tif 000002
【特許請求の範囲】
【請求項１】
基板に対してフレキシブルフラットケーブルの端部を接続し、フレキシブルフラットケーブルの端部近傍箇所を前記基板に取付固定するようにしたフレキシブルフラットケーブルの取付構造において、前記フレキシブルフラットケーブルにおける前記端部近傍箇所に、横向きに空洞ポケットが設けられる合成樹脂体が接着され、この合成樹脂体の空洞ポケットにジャンパー線が挿入されて、このジャンパー線の両端が前記基板に半田付けで固定されて、前記フレキシブルフラットケーブルを前記基板に取付固定したことを特徴とするフレキシブルフラットケーブルの取付構造。
【請求項２】
基板に対してフレキシブルフラットケーブルの端部を接続し、フレキシブルフラットケーブルの端部近傍箇所を前記基板に取付固定するようにしたフレキシブルフラットケーブルの取付構造において、前記フレキシブルフラットケーブルにおける前記端部近傍箇所に横向きに空洞ポケット部が設けられ、この空洞ポケットにジャンパー線が挿入されて、このジャンパー線の両端が前記基板に半田付けで固定されて、前記フレキシブルフラットケーブルを前記基板に取付固定したことを特徴とするフレキシブルフラットケーブルの取付構造。
【請求項３】
前記空洞ポケットは、前記フレキシブルフラットケーブルに複数設けられ、これら複数の空洞ポケットにジャンパー線が挿入されて、このジャンパー線の両端が前記基板に半田付けで固定されている請求項２に記載のフレキシブルフラットケーブルの取付構造。
【請求項４】
小基板の両側からフレキシブルフラットケーブルの一端がそれぞれ取り付けられ、これらのフレキシブルフラットケーブルの他端がメイン基板上に取り付けられるようにしたフレキシブルフラットケーブルの取付構造において、前記フレキシブルフラットケーブルにおける前記メイン基板の近傍箇所に横向きに空洞ポケットが設けられる合成樹脂体が接着され、この空洞ポケットにジャンパー線が挿入されて、このジャンパー線で前記双方のフレキシブルフラットケーブルが縛束されるようにしたことを特徴とするフレキシブルフラットケーブルの取付構造。
【請求項５】
小基板の両側からフレキシブルフラットケーブルの一端がそれぞれ取り付けられ、これらのフレキシブルフラットケーブルの他端がメイン基板上に取り付けられるようにしたフレキシブルフラットケーブルの取付構造において、前記フレキシブルフラットケーブルにおけるメイン基板の近傍箇所に横向きに空洞ポケットが設けられ、この空洞ポケットにジャンパー線が挿入されて、このジャンパー線で双方のフレキシブルフラットケーブルが縛束されるようにしたことを特徴とするフレキシブルフラットケーブルの取付構造。
【請求項６】
前記空洞ポケットが前記双方のフレキシブルフラットケーブルにそれぞれ設けられ、これらの空洞ポケットにジャンパー線が挿入されて、このジャンパー線で双方のフレキシブルフラットケーブルが縛束されるようにした請求項５に記載のフレキシブルフラットケーブルの取付構造。
【請求項７】
前記ジャンパー線に代えてワイヤー帯が使用され、このワイヤー帯が前記フレキシブルフラットケーブルの前記空洞ポケットに挿入されて、前記フレキシブルフラットケーブルの前記メイン基板の近傍箇所が縛束されるようにした請求項５又は６に記載のフレキシブルフラットケーブルの取付構造。
【発明の詳細な説明】
【技術分野】
【０００１】
本発明は、基板に対してフレキシブルフラットケーブルの端部を接続し、フレキシブルフラットケーブルの端部近傍箇所を前記基板に取付固定するようにしたフレキシブルフラットケーブルの取付構造に関するものである。
【背景技術】
【０００２】
従来、この種のフレキシブルフラットケーブルの取付構造は、フレキシブルフラットケーブルの端部近傍箇所に両面テープを貼り付けて、この両面テープを基板に貼り付けることによって、基板にフレキシブルフラットケーブルを取り付けるようにしていた。ところが、両面テープで貼着するようにしていたので、剥がれやすいという問題があった。
【０００３】
第１の従来技術を図５に示す。この従来の基板におけるワイヤー処理構造は、図５に示すように、リードワイヤー１０７を穴部１０６の穴縁近傍箇所で結束バンド１０９で束ねて、更に、結束バンド１０９に突出部１０９ａを形成し、基板１０４に形成された孔１０４ａに突出部１０９ａを嵌入して、この結束バンド１０９で束ねられたリードワイヤー１０７を穴縁近傍箇所に固定している。（例えば、特許文献１参照）。
【０００４】
ところが、これにおいては、結束バンド１０９でリードワイヤー１０７を束ねているだけなので、束ねた部分の位置が擦れやすいという問題があった。また、リードワイヤー１０７の位置が擦れやすいので、電波ノイズの影響を受けやすいという問題があった。
【特許文献１】特開２００２−２３２１６１号公報
【発明の開示】
【発明が解決しようとする課題】
【０００５】
本発明は、上記従来の問題に鑑みてなされたものであって、フレキシブルフラットケーブルを基板に強固に固定することができ、外れにくくて位置擦れが生じることがなく、電波ノイズの影響を受けにくくすることができるフレキシブルフラットケーブルの取付構造を提供することを目的としている。
【課題を解決するための手段】
【０００６】
本発明は、上記課題を解決するために提案されたものであって、請求項１に記載の発明は、基板に対してフレキシブルフラットケーブルの端部を接続し、フレキシブルフラットケーブルの端部近傍箇所を前記基板に取付固定するようにしたフレキシブルフラットケーブルの取付構造において、前記フレキシブルフラットケーブルにおける前記端部近傍箇所に、横向きに空洞ポケットが設けられる合成樹脂体が接着され、この合成樹脂体の空洞ポケットにジャンパー線が挿入されて、このジャンパー線の両端が前記基板に半田付けで固定されて、前記フレキシブルフラットケーブルを前記基板に取付固定したことを特徴としている。
【０００７】
請求項２に記載の発明は、基板に対してフレキシブルフラットケーブルの端部を接続し、フレキシブルフラットケーブルの端部近傍箇所を前記基板に取付固定するようにしたフレキシブルフラットケーブルの取付構造において、前記フレキシブルフラットケーブルにおける前記端部近傍箇所に横向きに空洞ポケット部が設けられ、この空洞ポケットにジャンパー線が挿入されて、このジャンパー線の両端が前記基板に半田付けで固定されて、前記フレキシブルフラットケーブルを前記基板に取付固定したことを特徴としている。
【０００８】
請求項３に記載の発明は、前記空洞ポケットは、前記フレキシブルフラットケーブルに複数設けられ、これら複数の空洞ポケットにジャンパー線が挿入されて、このジャンパー線の両端が前記基板に半田付けで固定されている。
【０００９】
請求項４に記載の発明は、小基板の両側からフレキシブルフラットケーブルの一端がそれぞれ取り付けられ、これらのフレキシブルフラットケーブルの他端がメイン基板上に取り付けられるようにしたフレキシブルフラットケーブルの取付構造において、前記フレキシブルフラットケーブルにおける前記メイン基板の近傍箇所に横向きに空洞ポケットが設けられる合成樹脂体が接着され、この空洞ポケットにジャンパー線が挿入されて、このジャンパー線で前記双方のフレキシブルフラットケーブルが縛束されるようにした。
【００１０】
請求項５に記載の発明は、小基板の両側からフレキシブルフラットケーブルの一端がそれぞれ取り付けられ、これらのフレキシブルフラットケーブルの他端がメイン基板上に取り付けられるようにしたフレキシブルフラットケーブルの取付構造において、前記フレキシブルフラットケーブルにおけるメイン基板の近傍箇所に横向きに空洞ポケットが設けられ、この空洞ポケットにジャンパー線が挿入されて、このジャンパー線で双方のフレキシブルフラットケーブルが縛束されるようにしたことを特徴としている。
【００１１】
請求項６に記載の発明は、前記空洞ポケットが前記双方のフレキシブルフラットケーブルにそれぞれ設けられ、これらの空洞ポケットにジャンパー線が挿入されて、このジャンパー線で双方のフレキシブルフラットケーブルが縛束されるようにした。
【００１２】
請求項７に記載の発明は、前記ジャンパー線に代えてワイヤー帯が使用され、このワイヤー帯が前記フレキシブルフラットケーブルの前記空洞ポケットに挿入されて、前記フレキシブルフラットケーブルの前記メイン基板の近傍箇所が縛束されるようにした。
【発明の効果】
【００１３】
請求項１に記載の発明によれば、基板に端部が接続されたフレキシブルフラットケーブルに接着された合成樹脂体の空洞ポケットに、ジャンパー線が横向きに挿入されてこのジャンパー線の両端が基板に半田付けで固定されているので、フレキシブルフラットケーブルを基板に強固に固定することができ、外れにくくて位置擦れが生じることがなく、電波ノイズの影響を受けにくくすることができる。更に、空洞ポケットが形成された合成樹脂体が絶縁性を有するので、この合成樹脂体が基板に接触しても支障を起こすことがない。
【００１４】
請求項２に記載の発明によれば、基板に端部が接続されたフレキシブルフラットケーブルの空洞ポケットにジャンパー線が横向きに挿入されてこのジャンパー線の両端が基板に半田付けで固定されているので、フレキシブルフラットケーブルを基板に強固に固定することができ、外れにくくて位置擦れが生じることがなく、電波ノイズの影響を受けにくくすることができる。
【００１５】
請求項３に記載の発明によれば、空洞ポケットが複数設けられているので、これら複数
の空洞ポケットのそれぞれにジャンパー線を挿入してこれらのジャンパー線の両端を基板に半田付けで固定することによって、フレキシブルフラットケーブルを基板に強固に固定することができる。また、複数の空洞ポケットのいずれかに、ジャンパー線を挿入してその両端が基板に半田付け固定できるので、フレキシブルフラットケーブルの最適な位置の空洞ポケットにジャンパー線を挿入してこのジャンパー線の両端を基板に半田付けで固定することができる。また、空洞ポケットにジャンパー線を挿入するので、位置擦れすることを防ぐことができる。
【００１６】
請求項４に記載の発明によれば、小基板の両側にその一端が取り付けられたフレキシブルフラットケーブルの適宜箇所に空洞ポケットを有する合成樹脂体が接着され、この空洞ポケットにジャンパー線を挿入して双方のフレキシブルフラットケーブルを縛束することによって、メイン基板上の電気部品にこのフレキシブルフラットケーブルが接触することを防ぐことができる。
【００１７】
請求項５に記載の発明によれば、小基板の両側にその一端が取り付けられたフレキシブルフラットケーブルの適宜箇所の空洞ポケットにジャンパー線を挿入して双方のフレキシブルフラットケーブルを縛束することによって、メイン基板上の電気部品にこのフレキシブルが接触することを防ぐことができる。
【００１８】
請求項６に記載の発明によれば、双方のフレキシブルフラットケーブルの適宜箇所に空洞ポケットを設けて、これらの空洞ポケットにジャンパー線を挿入しているので、このジャンパー線で縛束される箇所が位置ずれすることを防ぐことができる。
【００１９】
請求項７に記載の発明によれば、ジャンパー線に代えてワイヤー帯が使用されているので、フレキシブルフラットケーブルの空洞ポケットにこのワイヤー帯を挿入すると、このワイヤー帯による双方のフレキシブルフラットケーブルの縛束を容易に行なうことができるとともに、外れることを防ぐことができる。
【発明を実施するための最良の形態】
【００２０】
以下、本発明に係るフレキシブルフラットケーブルの取付構造の実施の形態について、図を参照しつつ説明する。
【００２１】
図１は本発明の第１実施形態のフレキシブルフラットケーブルの取付構造を示し、（ａ）はその平面図、（ｂ）はその概略側断面図である。
【００２２】
この第１実施形態のフレキシブルフラットケーブルの取付構造は、図１（ａ）（ｂ）に示すように、基板１に対してフレキシブルフラットケーブル２の端部２ａが接続されている。このフレキシブルフラットケーブル２の端部２ａの近傍箇所に、横向きに空洞ポケット３が設けられた合成樹脂体４が接着されている。この合成樹脂体４の空洞ポケット３にジャンパー線５が挿入され、このジャンパー線５の両端５ａ、５ｂが基板１に半田付け６、６で固定されている。このことにより、フレキシブルフラットケーブル２が基板１に取付固定されている。
【００２３】
従って、この第１実施形態によれば、基板１に端部２ａが接続されたフレキシブルフラットケーブル２に接着された合成樹脂体４の空洞ポケット３に、ジャンパー線５が横向きに挿入されてこのジャンパー線５の両端５ａ、５ｂが基板１に半田付け６、６で固定されているので、フレキシブルフラットケーブル２を基板１に強固に固定することができる。このことにより、フレキシブルフラットケーブル２が基板１から外れにくくて位置擦れが生じることがなく、電波ノイズの影響を受けにくくすることができる。更に、空洞ポケット３が形成された合成樹脂体４が絶縁性を有するので、この合成樹脂体４が基板１に接触しても支障を起こすことがない。
【００２４】
図２は第２実施形態のフレキシブルフラットケーブルの取付構造を示す概略正面図である。
【００２５】
この第２実施形態のフレキシブルフラットケーブルの取付構造は、図２に示すように、小基板７の両側にフレキシブルフラットケーブル２、２の一端がそれぞれ取り付けられている。これらのフレキシブルフラットケーブル２の他端は、メイン基板８上に取り付けられている。一方のフレキシブルフラットケーブル２におけるメイン基板８の近傍箇所に横向きに空洞ポケット９が設けられた合成樹脂体１０が接着されている。この空洞ポケット９にジャンパー線１１が挿入されて、このジャンパー線１１で双方のフレキシブルフラットケーブル２、２が縛束されるようにしている。また、メイン基板８上には複数の電気部品１２Ａ、１２Ｂが取り付けられている。
【００２６】
従って、この第２実施形態によれば、小基板７の両側にその一端が取り付けられたフレキシブルフラットケーブル２の適宜箇所に空洞ポケット９を有する合成樹脂体１０が接着され、この空洞ポケット９にジャンパー線１１を挿入して双方のフレキシブルフラットケーブル２、２を縛束することによって、メイン基板８上の電気部品１２Ａ、１２Ｂにこのフレキシブルフラットケーブル２が接触することを防ぐことができる。
【００２７】
図３は図２におけるジャンパー線に代えて用いられるワイヤー帯である。
【００２８】
このワイヤー帯１３は、図３に示すように、帯状部１３ａとこの帯状体１３ａの一端側に取り付けられたバックル部１３ｂとで構成され、帯状部１３ａには複数条の溝部１３ｃが形成されている。図示しないが、このワイヤー帯１３の帯状部１３ａをフレキシブルフラットケーブル２に接着された合成樹脂体１０の空洞ポケット９に挿入し、他端側をバックル部１３ｂに嵌め入れて締めた状態で双方のフレキシブルフラットケーブル２を縛束するようにしている。
【００２９】
従って、これによれば、フレキシブルフラットケーブル２に接着された合成樹脂体１０の空洞ポケット９にワイヤー帯１３を挿入すると、このワイヤー帯１３による双方のフレキシブルフラットケーブル２、２の縛束を容易に行なうことができるとともに、外れることを防ぐことができる。
【００３０】
図４は第３実施形態のフレキシブルフラットケーブルの取付構造を示す概略正面図である。
【００３１】
この第３実施形態のフレキシブルフラットーケーブルの取付構造は、図４に示すように、双方のフレキシブルフラットケーブル２、２に、空洞ポケット９を有する合成樹脂体１０、１０が接着されている。これらの空洞ポケット９にジャンパー線１１を挿入して縛束するようにしている。
【００３２】
この第３実施形態によれば、双方のフレキシブルフラットケーブル２、２に接着された合成樹脂体１０の空洞ポケット９、９ジャンパー線１１を挿入しているので、このジャンパー線１１で縛束される箇所が位置ずれすることを防ぐことができる。また、フレキシブルフラットケーブル２、２がジャンパー線１１で縛束されているので、メイン基板８上の電気部品１２Ａ、１２Ｂにフレキシブルフラットケーブル２が接触することを一層防ぐことができる。尚、ジャンパー線１１の代わりにワイヤー帯１３を用いてもよいことは勿論である。
【図面の簡単な説明】
【００３３】
【図１】本発明の第１実施形態のフレキシブルフラットケーブルの取付構造を示し、（ａ）はその平面図、（ｂ）はその概略側断面図である。
【図２】第２実施形態のフレキシブルフラットケーブルの取付構造を示す概略正面図である。
【図３】図２におけるジャンパー線に代えて用いられるワイヤー帯である。
【図４】第３実施形態のフレキシブルフラットケーブルの取付構造を示す概略正面図である。
【図５】従来の基板におけるワイヤー処理構造を示す斜視図である。
【符号の説明】
【００３４】
１        基板
２        フレキシブルフラットケーブル
２ａ      端部
３        空洞ポケット
４        合成樹脂体
５        ジャンパー線
５ａ      端
５ｂ      端
６      半田付け
７      小基板
８      メイン基板
９      空洞ポケット
１０    合成樹脂体
１１    ジャンパー線
１２Ａ  電気部品
１２Ｂ  電気部品
１３    ワイヤー帯
１３ａ  帯状部
１３ｂ  バックル部
１３ｃ  溝部
【図１】
2005317702.tif 000003
【図２】
2005317702.tif 000004
【図３】
2005317702.tif 000005
【図４】
2005317702.tif 000006
【図５】
2005317702.tif 000007